【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
エチレンと適当なフッ素含有コモノマー化合物との共重合によって得られるフッ素含有エチレン共重合体（ＦＣＥＣ）を含むフィルムであって、前記ＦＣＥＣが約０．５重量％から約４０重量％のフッ素含有コモノマー化合物と約３０重量％から約９９．５重量％のエチレンとを含み、
（１）前記フッ素含有コモノマーが、一般式Ｃｆ−Ｌ−Ｏ−ＣＯ−ＣＲ＝ＣＨ２（式中、
（ｉ）Ｃｆは少なくとも４個の炭素原子を有するフッ素化脂肪族基であり、
（ｉｉ）Ｌは、アリーレン、アリールアルキレン、スルホニル、スルホキシ、スルホンアミド、カルボキシアミノ、カルボニルオキシ、ウレタニレン、およびそれらの組合せよりなる群から選択される、前記フッ素化脂肪族基を（メタ）アクリレート基と連結する連結基であり、そして
（ｉｉｉ）ＲはＨまたはＣＨ３である）
のフッ素化アクリレートまたはメタクリレートエステルであることを特徴とするフィルム。
【請求項２】
エチレンと適当なフッ素含有コモノマー化合物との共重合によって得られるフッ素含有エチレン共重合体（ＦＣＥＣ）を含む繊維であって、前記ＦＣＥＣが約０．５重量％から約４０重量％のフッ素含有コモノマー化合物と約３０重量％から約９９．５重量％のエチレンとを含み、
（１）前記フッ素含有コモノマーが、一般式Ｃｆ−Ｌ−Ｏ−ＣＯ−ＣＲ＝ＣＨ２（式中、
（ｉ）Ｃｆは少なくとも４個の炭素原子を有するフッ素化脂肪族基であり、
（ｉｉ）Ｌは、アリーレン、アリールアルキレン、スルホニル、スルホキシ、スルホンアミド、カルボキシアミノ、カルボニルオキシ、ウレタニレン、およびそれらの組合せよりなる群から選択される、前記フッ素化脂肪族基を（メタ）アクリレート基と連結する連結基であり、そして
（ｉｉｉ）ＲはＨまたはＣＨ３である）
のフッ素化アクリレートまたはメタクリレートエステルであり、かつ、
メルトブロー法によって得られることを特徴とする繊維。
【請求項３】
エチレンと適当なフッ素含有コモノマー化合物との共重合によって得られるフッ素含有エチレン共重合体（ＦＣＥＣ）を含む外層を備える複合または多層構造を有する物品であって、前記ＦＣＥＣが約０．５重量％から約４０重量％のフッ素含有コモノマー化合物と約３０重量％から約９９．５重量％のエチレンとを含み、
（１）前記フッ素含有コモノマーが、一般式Ｃｆ−Ｌ−Ｏ−ＣＯ−ＣＲ＝ＣＨ２（式中、
（ｉ）Ｃｆは少なくとも４個の炭素原子を有するフッ素化脂肪族基であり、
（ｉｉ）Ｌは、アリーレン、アリールアルキレン、スルホニル、スルホキシ、スルホンアミド、カルボキシアミノ、カルボニルオキシ、ウレタニレン、およびそれらの組合せよりなる群から選択される、前記フッ素化脂肪族基を（メタ）アクリレート基と連結する連結基であり、そして
（ｉｉｉ）ＲはＨまたはＣＨ３である）
のフッ素化アクリレートまたはメタクリレートエステルであることを特徴とする物品。
【請求項４】
エチレンと適当なフッ素含有コモノマー化合物との共重合によって得られるフッ素含有エチレン共重合体（ＦＣＥＣ）を含む微孔質膜であって、前記ＦＣＥＣが約０．５重量％から約４０重量％のフッ素含有コモノマー化合物と約３０重量％から約９９．５重量％のエチレンとを含み、
（１）前記フッ素含有コモノマーが、一般式Ｃｆ−Ｌ−Ｏ−ＣＯ−ＣＲ＝ＣＨ２（式中、
（ｉ）Ｃｆは少なくとも４個の炭素原子を有するフッ素化脂肪族基であり、
（ｉｉ）Ｌは、アリーレン、アリールアルキレン、スルホニル、スルホキシ、スルホンアミド、カルボキシアミノ、カルボニルオキシ、ウレタニレン、およびそれらの組合せよりなる群から選択される、前記フッ素化脂肪族基を（メタ）アクリレート基と連結する連結基であり、そして
（ｉｉｉ）ＲはＨまたはＣＨ３である）
のフッ素化アクリレートまたはメタクリレートエステルであり、かつ、
前記膜を通る液体の浸透に対抗する防護物として有用であることを特徴とする膜。
【請求項５】
エチレンと適当なフッ素含有コモノマー化合物との共重合によって得られるフッ素含有エチレン共重合体（ＦＣＥＣ）を含むフラッシュ紡糸プレキシフィラメント状製品であって、前記ＦＣＥＣが約０．５重量％から約４０重量％のフッ素含有コモノマー化合物と約３０重量％から約９９．５重量％のエチレンとを含み、
（１）前記フッ素含有コモノマーが、一般式Ｃｆ−Ｌ−Ｏ−ＣＯ−ＣＲ＝ＣＨ２（式中、
（ｉ）Ｃｆは少なくとも４個の炭素原子を有するフッ素化脂肪族基であり、
（ｉｉ）Ｌは、アリーレン、アリールアルキレン、スルホニル、スルホキシ、スルホンアミド、カルボキシアミノ、カルボニルオキシ、ウレタニレン、およびそれらの組合せよりなる群から選択される、前記フッ素化脂肪族基を（メタ）アクリレート基と連結する連結基であり、そして
（ｉｉｉ）ＲはＨまたはＣＨ３である）
のフッ素化アクリレートまたはメタクリレートエステルであることを特徴とするフラッシュ紡糸プレキシフィラメント状製品。
【請求項６】
エチレンと適当なフッ素含有コモノマー化合物との共重合によって得られるフッ素含有エチレン共重合体（ＦＣＥＣ）を含む溶融紡糸繊維状物品であって、前記ＦＣＥＣが約０．５重量％から約４０重量％のフッ素含有コモノマー化合物と約３０重量％から約９９．５重量％のエチレンとを含み、
（１）前記フッ素含有コモノマーが、一般式Ｃｆ−Ｌ−Ｏ−ＣＯ−ＣＲ＝ＣＨ２（式中、
（ｉ）Ｃｆは少なくとも４個の炭素原子を有するフッ素化脂肪族基であり、
（ｉｉ）Ｌは、アリーレン、アリールアルキレン、スルホニル、スルホキシ、スルホンアミド、カルボキシアミノ、カルボニルオキシ、ウレタニレン、およびそれらの組合せよりなる群から選択される、前記フッ素化脂肪族基を（メタ）アクリレート基と連結する連結基であり、そして
（ｉｉｉ）ＲはＨまたはＣＨ３である）
のフッ素化アクリレートまたはメタクリレートエステルであり、かつ、
ＦＣＥＣまたはそのブレンドを溶融紡糸または多成分繊維紡糸することによって得られることを特徴とする溶融紡糸繊維状製品。
【手続補正２】
【補正対象書類名】明細書
【補正対象項目名】００１８
【補正方法】変更
【補正の内容】
【００１８】
別の態様では、本発明は、エチレンと適当なフッ素含有コモノマー化合物との共重合によって得られるフッ素含有エチレン共重合体（ＦＣＥＣ）を含む微孔質膜であって、ＦＣＥＣが約０．５重量％から約４０重量％のフッ素含有コモノマー化合物と約３０重量％から約９９．５重量％のエチレンとを含み、膜を通る液体の浸透に対抗する防護物として有用である微孔質膜である。
【手続補正３】
【補正対象書類名】明細書
【補正対象項目名】００２５
【補正方法】変更
【補正の内容】
【００２５】
適当なフッ素含有コモノマーは、例えば、米国特許公報（特許文献２）、米国特許公報（特許文献７）、米国特許公報（特許文献８）、米国特許公報（特許文献９）、米国特許公報（特許文献１０）、および米国特許公報（特許文献１１）に記載されている。適当なフッ素含有コモノマーは、一般式Ｃｆ−Ｌ−Ｏ−ＣＯ−ＣＲ＝ＣＨ２（式中、
（ｉ）Ｃｆは、直鎖または分枝で、非環式または環式であることができ、かつ、窒素、酸素、および／または硫黄のようなヘテロ原子を含むことができる、少なくとも４個の炭素原子を有するフッ素化脂肪族基である。Ｃｆは、式ＣｎＦ２ｎ＋１（ここで、ｎは４から２０の整数である）のパーフッ素化脂肪族基であることが好ましい。
（ｉｉ）Ｌは、１から１０個の炭素原子を含有することができ、かつ、場合により酸素、窒素、もしくは硫黄含有基、またはそれらの組合せを含むことができる、フッ素化脂肪族基を（メタ）アクリレート基と連結する連結基であり、Ｌは、直鎖または分枝の、環式アルキレン、アリーレン、アリールアルキレン、スルホニル、スルホキシ、スルホンアミド、カルボキシアミノ、カルボニルオキシ、ウレタニレン、およびそれらの組合せであり得る）
のフッ素化アクリレートまたはメタクリレートエステルである。
【手続補正４】
【補正対象書類名】明細書
【補正対象項目名】００３０
【補正方法】変更
【補正の内容】
【００３０】
別の実施形態では、本発明は、上のコモノマーに加えて、約０．５重量％から約５重量％のターモノマーＸ（ここで、Ｘは反応性の機能性コモノマーである）を含む三元共重合体である。例えば、Ｘはメタクリル酸グリシジル、無水マレイン酸、または無水マレイン酸の半エステルおよび／またはそれらの誘導体であり得る。好ましくは、三元共重合体は、約１重量％から約４．５重量％のＸ、より好ましくは約１．５重量％から約４重量％のＸを含む。最も好ましくは、三元共重合体は約２重量％から約４重量％のＸを含む。
【手続補正５】
【補正対象書類名】明細書
【補正対象項目名】００３１
【補正方法】変更
【補正の内容】
【００３１】
さらに別の実施形態では、本発明は、エチレンと本明細書の上に記載されたフルオロアルキルコモノマーとに加えて、約０．５重量％から約５０重量％のターモノマーＹ（ここで、Ｙは酢酸ビニルまたはアクリル酸メチルおよびアクリル酸ブチルのようなアクリレートコモノマーである）を含む三元共重合体である。好ましくは、Ｙは約２重量％から約４５重量％、より好ましくは約５重量％から約４０重量％の量で含まれる。最も好ましくは、Ｙは約５重量％から約３５重量％の量で含まれる。好ましくは、Ｙは酢酸ビニルモノマーである。
【手続補正６】
【補正対象書類名】明細書
【補正対象項目名】００３２
【補正方法】変更
【補正の内容】
【００３２】
別の実施形態では、本発明は、エチレンと本明細書の上に記載されたフルオロアルキルコモノマーとに加えて、約１．０重量％から約２０重量％のターモノマーＺ（ここで、Ｚはアクリル酸またはメタクリル酸コモノマーである）を含む三元共重合体である。好ましくは、Ｚは約１．５重量％から約１８重量％、より好ましくは約２．５重量％から約１７重量％の量で含まれる。最も好ましくは、Ｚは約３重量％から約１５重量％の量で含まれる。